(57)【要約】【課題】液体補給容器から液体貯留タンクへ液体を補給するときの液体漏れを抑制する。【解決手段】液体を貯留する液体貯留タンクとタンクへ補給するための液体を収容する液体補給容器とのセットであって、タンクは第１嵌合形状を有する第１筒状部及び第１筒状部より内側にタンクに液体を注入するための液体注入口と管状もしくは棒状部材とを有し、液体補給容器は第１嵌合形状と嵌合可能な第２嵌合形状を有する第２筒状部及び第２筒状部より内側に液体補給容器から液体を排出する液体出口と液体出口に連通する弁機構とを有し、第１及び第２嵌合形状は第１筒状部に対して第２筒状部を回転および挿入可能であり、液体非補給時には第１及び第２嵌合形状が嵌合せず弁機構が閉じて液体補給容器が密閉され、液体補給時には第１及び第２嵌合形状が嵌合し管状もしくは棒状部材が弁機構に当接することにより弁機構が開く。【選択図】  図１
2020168823.tif 000002
【特許請求の範囲】
【請求項１】
液体を貯留する液体貯留タンクと、前記液体貯留タンクへ補給するための液体を収容する液体補給容器とのセットであって、
前記液体貯留タンクは、第１の嵌合形状を有する第１の筒状部を有し、かつ、前記第１の筒状部の延在方向に直交する方向において前記第１の筒状部より内側に、前記液体貯留タンクに液体を注入するための液体注入口と、管状もしくは棒状部材とを有し、
前記液体補給容器は、前記第１の嵌合形状と嵌合可能な第２の嵌合形状を有する第２の筒状部を有し、かつ、前記第２の筒状部の延在方向に直交する方向において前記第２の筒状部より内側に、前記液体補給容器から液体を排出するための液体出口と、前記液体出口に連通する弁機構とを有し、
前記第１および第２の嵌合形状は、第１の筒状部に対して第２の筒状部を回転および挿入可能な形状であり、
液体非補給時には、前記第１および第２の嵌合形状が嵌合せず、前記弁機構が閉じて液体補給容器が密閉され、
液体補給時には、前記第１および第２の嵌合形状が嵌合し、前記管状もしくは棒状部材が前記弁機構に当接することにより前記弁機構が開く、
液体貯留タンクと液体補給容器とのセット。
【請求項２】
前記弁機構は弁部材、バネ部材およびシール部材を含み、
液体非補給時には、前記バネ部材によって前記弁部材が前記シール部材に密着することにより前記弁機構が閉じ、
液体補給時には、前記管状もしくは棒状部材が前記弁部材に当接することにより前記弁機構が開く、請求項１に記載の液体貯留タンクと液体補給容器とのセット。
【請求項３】
前記管状もしくは棒状部材が、前記液体注入口に連通し、前記液体を前記液体貯留タンクに導入する液体導入管である、請求項１または２に記載の液体貯留タンクと液体補給容器とのセット。
【請求項４】
前記管状もしくは棒状部材が、前記第１の筒状部の内側の底部を形成する支持部材に固定された棒状部材であり、前記支持部材に前記液体注入口が設けられている、請求項１または２に記載の液体貯留タンクと液体補給容器とのセット。
【請求項５】
前記第１および第２の嵌合形状が、ネジ形状である、請求項１〜４のいずれか一項に記載の液体貯留タンクと液体補給容器とのセット。
【請求項６】
前記ネジ形状が、ピッチおよび条数の少なくとも一方が異なる複数のネジ形状の組み合わせを含む、請求項５に記載の液体貯留タンクと液体補給容器とのセット。
【請求項７】
前記第１および第２の嵌合形状の一方が溝形状であり、他方が凸形状である、請求項１〜４に記載の液体貯留タンクと液体補給容器とのセット。
【請求項８】
液体非補給時に前記液体出口を保護するキャップを備え、前記キャップが前記第２の嵌合形状と嵌合可能な嵌合形状を有する、請求項１〜７の何れか一項に記載の液体貯留タンクと液体補給容器とのセット。
【請求項９】
液体を吐出する液体吐出部と、前記液体吐出部に供給される液体を貯留する液体貯留タンクと、前記液体貯留タンクに補給する液体を収容する液体補給容器と、を備える液体吐出装置であって、
前記液体貯留タンクおよび前記液体補給容器として、請求項１〜８のいずれかに記載の液体貯留タンクと液体補給容器とのセットを備える、液体吐出装置。
【発明の詳細な説明】
【技術分野】
【０００１】
本発明は、インクジェット記録装置等の液体吐出装置に関し、液体吐出装置で用いられる液体貯留タンクと液体補給容器とのセットに関する。
【背景技術】
【０００２】
インクジェット記録装置等の液体吐出装置には、インク等の液体を貯留するための液体貯留タンクが設置され、液体貯留タンクから液体吐出ヘッドへと液体を供給するタイプのものがある。液体貯留タンクの液体容量が減少した場合には、補給用の液体を収容した液体補給容器から液体貯留タンクへと液体を補給することで、液体吐出ヘッドへの液体供給を途切れさせることなく液体吐出装置を使用することができる。
【０００３】
特許文献１には、液体貯留タンクの注入口部に液体補給容器の出口部を挿入してインクを補充することが開示される。特許文献２には、液体補給容器の出口部に弁機構を設け、液体貯留タンクから突出する流路部材を、液体補給容器の出口部に挿入することによって弁機構を開くタイプの容器が開示されている。
【先行技術文献】
【特許文献】
【０００４】
【特許文献１】特開２０１６−８７８４４号公報
【特許文献２】特開２０１８−１４４２８１号公報
【発明の概要】
【発明が解決しようとする課題】
【０００５】
特許文献１では液体貯留タンクの注入口部へ液体補給容器の出口部を挿入する際、液体補給容器を逆さにして、その出口部を液体補給容器内の液面よりも下に位置させる。そのため、開放状態の出口部からインクが飛散する恐れが生じる。特許文献２では液体補給容器出口部に弁機構を設けることにより、液体補給容器を逆さにしただけでは液体が漏れ出ない構成にすることが可能である。しかし、液体貯留タンクの注入口部に液体補給容器出口部を挿入することで開弁される構成の場合には、その挿入状態が不完全もしくは不安定な場合に、インクが漏れ出る恐れがある。また、液体補給容器をスクイズ（絞る）することで容器内のインクを排出させるタイプの容器では、挿入状態が不完全もしくは不安定な状態で容器をスクイズすると、勢いよくインクが漏れ出て飛散することもある。
【０００６】
本発明の目的は、液体補給容器から液体貯留タンクへ液体を補給するときの液体の漏れを抑制することのできる、液体貯留タンクと液体補給容器のセットを提供することである。本発明の別の目的は、液体補給容器から液体貯留タンクへ液体を補給するときの液体の漏れを抑制することのできる、液体吐出装置を提供することである。
【課題を解決するための手段】
【０００７】
本発明の一態様によれば、
液体を貯留する液体貯留タンクと、前記液体貯留タンクへ補給するための液体を収容する液体補給容器とのセットであって、
前記液体貯留タンクは、第１の嵌合形状を有する第１の筒状部を有し、かつ、前記第１の筒状部の延在方向に直交する方向において前記第１の筒状部より内側に、前記液体貯留タンクに液体を注入するための液体注入口と、管状もしくは棒状部材とを有し、
前記液体補給容器は、前記第１の嵌合形状と嵌合可能な第２の嵌合形状を有する第２の筒状部を有し、かつ、前記第２の筒状部の延在方向に直交する方向において前記第２の筒状部より内側に、前記液体補給容器から液体を排出するための液体出口と、前記液体出口に連通する弁機構とを有し、
前記第１および第２の嵌合形状は、第１の筒状部に対して第２の筒状部を回転および挿入可能な形状であり、
液体非補給時には、前記第１および第２の嵌合形状が嵌合せず、前記弁機構が閉じて液体補給容器が密閉され、
液体補給時には、前記第１および第２の嵌合形状が嵌合し、前記管状もしくは棒状部材が前記弁機構に当接することにより前記弁機構が開く、
液体貯留タンクと液体補給容器とのセットが提供される。
【０００８】
本発明の別の態様によれば、
液体を吐出する液体吐出部と、前記液体吐出部に供給される液体を貯留する液体貯留タンクと、前記液体貯留タンクに補給する液体を収容する液体補給容器と、を備える液体吐出装置であって、
前記液体貯留タンクおよび前記液体補給容器として、請求項１〜８のいずれかに記載の液体貯留タンクと液体補給容器とのセットを備える、液体吐出装置が提供される。
【発明の効果】
【０００９】
本発明の一態様によれば、液体補給容器から液体貯留タンクへ液体を補給するときの液体の漏れを抑制することのできる、液体貯留タンクと液体補給容器のセットが提供される。本発明の別の態様によれば、液体補給容器から液体貯留タンクへ液体を補給するときの液体の漏れを抑制することのできる、液体吐出装置が提供される。
【図面の簡単な説明】
【００１０】
【図１】液体補給容器の構造例を示す断面図である。
【図２】液体貯留タンクの構造例を示す断面図である。
【図３】液体補給容器と貯留タンクの接続状態の例を示す部分断面図である。
【図４】液体補給容器の保管状態の例を示す断面図である。
【図５】液体補給容器の別の構造例を示す部分斜視図である。
【図６】液体貯留タンクの別の構造例を示す断面図である。
【図７】液体補給容器と液体貯留タンクの接続状態の別の例を示す部分断面図である。
【図８】インクジェット記録装置の機構部の例を示す斜視図である。
【図９】前記記録装置の要部構成を模式的に示す縦断側面図である。
【図１０】前記記録装置において、インクタンクにインクを補給する様子を示す斜視図である。
【発明を実施するための形態】
【００１１】
以下、図面を参照して本発明の実施形態について説明するが、本発明はこれによって限定されるものではない。
【００１２】
〔第１の実施形態〕
図１は、本発明の実施形態に係る液体補給容器の例を示した図である。図２は、この液体補給容器とともに使用される液体貯留タンクの例を示した図である。液体貯留タンク１６は、第１の嵌合形状１１１を有する第１の筒状部１１２を有する。液体貯留タンク１６は、第１の筒状部１１２の延在方向（紙面上下方向）に直交する方向において第１の筒状部１１２より内側に、液体貯留タンクに液体を注入するための液体注入口１１３と、管状もしくは棒状部材としての液体導入管１１４を有する。液体導入管１１４は、液体注入口１１３に連通し、液体を液体貯留タンクの内部の液体収容室１００に導入する管であり、第１の筒状部１１２の延在方向と平行に延在する。液体貯留タンクに補給する液体は、別容器である液体補給容器２０に収容される。
【００１３】
液体補給容器２０の上部（正置状態における）には、第２の筒状部２０２が設けられる。第２の筒状部２０２は、第１の嵌合形状１１１と嵌合可能な第２の嵌合形状２０６を有する。また液体補給容器２０は、第２の筒状部２０２の延在方向（紙面上下方向）に直交する方向において第２の筒状部２０２より内側に、液体補給容器２０から液体を排出するための液体出口２０７と、液体出口２０７に連通する弁機構２０９を有する。なお本例では、液体補給容器２０は、別々に成形された容器本体２０１と出口形成部２１０（上部に第２の筒状部２０２を有する）を有しているが、その限りではない。
【００１４】
弁機構はシール部材２０３、バネ部材２０４、および弁部材２０５を有する。弁部材２０５は第２の筒状部２０２の延在方向に移動可能である。出口形成部２１０に固定された支持部材２０８によって弁部材２０５が支持される。シール部材２０３としては、液体出口２０７の周りに設けられたリング状のものを使用することができる。バネ部材２０４として、弁部材の周りに巻かれたスプリングコイルを用いることができる。液体出口２０７は、第２の筒状部２０２の上底部（正置状態における）に設けられる。第２の筒状部２０２の下底部（正置状態における）は、液体補給容器の内部に連通する開口とされる。
【００１５】
液体非補給時には、第１の嵌合形状１１１と第２の嵌合形状２０６が嵌合しておらず、バネ部材２０４によって弁部材２０５がシール部材２０３に密着することにより、弁機構が閉じて液体補給容器２０が密閉される。つまり、バネ部材２０４によって弁部材２０５が内側から外側にシール部材２０３に向かって付勢され、弁部材２０５とシール部材２０３との間が封止される。そのため、液体補給容器が逆さ姿勢の場合や、外力によって液体補給容器の内圧が高まった場合においても、液体が外部に漏れることはない。
【００１６】
液体貯留タンク２０へインクを補給する液体補給時には、第１の嵌合形状１１１と第２の嵌合形状２０６が嵌合し、液体導入管２１４が弁部材２０５に当接することにより、弁部材２０５とシール部材２０３との間の密閉が解除され、弁機構が開く。これにより、インクの補給が可能となる。
【００１７】
図３を用いて、液体補給容器２０と液体貯留タンク１６の接続に関して詳述する。液体貯留タンク１６へインクを補給するにあたっては、図３（ａ）に示すように第１の筒状部１１２へ第２の筒状部２０２を下に向けて挿入すべく、液体補給容器２０を逆さにして液体貯留タンク１６の上に配置する。
【００１８】
第１の嵌合形状１１１と第２の嵌合形状２０６は、第１の筒状部１１２に対して第２の筒状部２０２を回転および挿入可能な形状である。図１〜３に示した例では、第１および第２の嵌合形状１１１および２０６はネジ形状である。液体補給容器２０を回転させることで液体補給容器２０が下降し（回転軸方向すなわち第２の筒状部２０２の延在方向に平行に）、第２の筒状部２０２が第1の筒状部１１２に挿入される。液体補給容器２０の回転を続けると、一定の嵌合深さが満たされる。この際、図３（ｂ）に示すように、液体貯留タンク１６に設けられた液体導入管１１４が、第２の筒状部２０２の内部に挿入され、弁部材２０５に当接して、弁部材２０５がシール部材２０３から離れて、弁機構が開放される。なお、弁部材２０５と液体導入管１１４との間は封止されておらず、これらの間を液体が流通可能である。
【００１９】
第１の筒状部１１２（正置状態）の下底部に、すなわち内側の底部に、液体導入管１１４を支持する支持部材１１５が設けられる（図２参照）。支持部材は例えば板状である。第１の筒状部１１２（正置状態）の下底部は、液体注入口１１３を除いて、支持部材１１５によって閉じられる。したがって、液体貯留タンク１６に導入される液体は、全て液体導入管１１４を通って導入される。第１の筒状部１１２（正置状態）の上底部は、第２の筒状部２０２を挿入するための開口とされる。
【００２０】
第１の筒状部１１２の内側に第２の筒状部２０２を挿入するために、第１の嵌合形状１１１を第１の筒状部１１２の内面に設け、第２の嵌合形状２０６を第２の筒状部２０２の外面に設けることができる。第１の筒状部１１２の少なくとも内面と、第２の筒状部２０２の少なくとも外面は、いずれも回転体状、特には円筒状とされる。その中心軸と同心に、液体導入管１１４および弁機構２０９を設けることができる。またその中心軸の方向は、第１もしくは第２の円筒部の延在方向と平行とする。
【００２１】
このように液体導入管１１４が挿入された際に、気液交換により液体補給容器２０から液体貯留タンク１６へインクが移動していくタイプと、液体補給容器をスクイズ（絞る）してインクを押し出すタイプの液体補給容器がある。液体補給容器２０が気液交換タイプの場合には、液体補給時に図３（ｂ）の状態を保持すればよく、スクイズタイプの場合にはその状態で容器をスクイズすればよい。いずれの場合にも、液体補給容器２０は嵌合形状によって液体貯留タンク１６によってしっかりと支持され、弁機構の開放状態も良好な状態にすることができる。そのため、スクイズによる飛散を含めてインクの漏れを抑制しつつ、インクを補給することが可能となる。
【００２２】
ネジ形状の嵌合形状については、複数のネジピッチの組み合わせや、２条ネジあるいは３条ネジなど、ネジ条数の組み合わせを設定し、液種（インク色）毎に異なる形状にすることで、液種を誤って液体を補給することを防止することが可能となる。この場合、少なくとも１種の液種に関して、第１および第２の嵌合形状がいずれも、ピッチおよび条数の少なくとも一方が異なる複数のネジ形状の組み合わせを有する。
【００２３】
嵌合形状はネジ形状に限られない。例えば、第１および第２の嵌合形状の一方が溝形状であり、他方が凸形状であってよい。例えば、第２の嵌合形状として、図５に示すように液体補給容器の第２の筒状部２０２に嵌合溝２３０を設けることができる。この場合、第１の嵌合形状として、嵌合溝２３０を通るサイズの凸形状（不図示。例えば円柱状の突起）を液体貯留タンク１６の第１の筒状部１１２に設けることができる。この場合には、液体補給容器２０をわずかに回転させるだけで所定の挿入深さまで挿入することが可能となる。この場合の回転量は、装着適性を考慮して例えば１／２回転、１／３回転または１／４回転などとすることができ、これら回転量が実現されるような嵌合溝２３０を適宜構成することが可能である。図5に示す例では、嵌合溝２３０が、第２の筒状部２０２（正置状態）の上端から下方に向かって、第２の筒状部２０２の延在方向に対して平行に延在し、次いで斜めに延在し、次いで直交方向に延在する。
【００２４】
なお、上記の構成とは逆に、第１の筒状部１１２に嵌合溝を設け、第２の筒状部２０２に凸形状を設けてもよい。また、嵌合溝と凸形状を用いる場合も、ねじ形状を用いる場合も、第２の嵌合形状２０６の少なくとも一部が、第２の筒状部２０２の延在方向に対して平行（角度０°）でない方向に延在する。すなわち第２の嵌合形状２０６の少なくとも一部が、斜め（角度０°超９０°未満）および/または直交方向（角度９０°）に延在する。
【００２５】
上記のような構成によれば、第１及び第２の嵌合形状を利用して、液体補給容器２０を液体貯留タンク１６に回転および挿入して装着することができる。その際、液体補給容器２０が液体貯留タンク１６に突き当たることによって、ユーザが装着完了を知ることができ、その段階で弁機構が開くようにすることができる。そのために、管状もしくは棒状の部材の長さ等を適宜調整して決めることができる。ただしその限りではなく、液体補給容器２０が液体貯留タンク１６に突き当たる前に、弁機構の開放が完了してもよい。その場合、例えば、液体補給容器２０の第２の筒状部２０２に、挿入完了位置を示すマークを付設することにより、液体貯留タンク１６への液体補給容器２０の挿入状態をユーザに認識させるような構成も採用可能である。
【００２６】
インク補給完了にあたって、液体補給容器２０を取り外すと、バネ部材２０４の付勢によって弁部材２０５が移動し、弁機構が閉じて液体非補給時の状態に戻る。したがって、液体が外部に漏れることはない。
【００２７】
図示はしないが、液体貯留タンク１６において液体（インク）が満杯になったことを検知する検知手段を設けることができる。この検知手段で満杯が検知された際に、インク補給を完了することができる。
【００２８】
液体補給容器２０の第２の嵌合形状２０６は、液体補給容器の保管時に、図４に示すように液体出口を保護するキャップ２２０を固定するために使用することもできる。つまり、第２の嵌合形状２０６と嵌合可能な嵌合形状を有するキャップを用いることができる。前述のようにネジピッチ等の嵌合形状の組み合わせを用いれば、液種の異なる液体補給容器で使用していたキャップを誤って使用してしまい、液体貯留タンク１６に導入される液体に、キャップに付着していた液体が混入することを容易に防止できる。
【００２９】
〔第２の実施形態〕
本実施形態では、図２に示す液体導入管１１４に替えて、図６に示すように、棒状（中実）部材としてピン１１６を用いる。ピン１１６は、例えば、板状の支持部材１１５に固定され、支持部材１１５は第１の筒状部１１２に固定される。支持部材１１５の、ピン１１６が形成されていない部分に、液体注入口１１３が設けられる。図７（ａ）に示すように、非液体補給時には、第１の実施形態と同様、液体補給容器の弁機構２０９が閉じている。液体補給時には、同図（ｂ）に示すようにピン１１６が弁部材２０５に当接して弁機構２０９が開き、液体出口２０７から液体注入口１１３を経て、液体貯留タンク１６内に液体が導入される。
【００３０】
これら以外の点については、第２の実施形態は第１の実施形態と同様であってよい。第２の実施形態において、嵌合形状としても前述のネジ形状や、嵌合溝２０８などを適宜利用可能である。
【００３１】
〔液体吐出装置〕
図８および９に、本発明に係る液体貯留タンクと液体補給容器とのセットを適用可能な液体吐出装置としてのインクジェット記録装置１０００（以下、「記録装置」とも称する）の例を示す。図８は記録装置１０００の機構部を示す斜視図、図９は記録装置１０００の要部構成を模式的に示す縦断側面図である。機構部は主に第１給送部１、第２給送部２、記録部３、および液体供給部４により構成される。なお、以下において、用語「インク」は、記録液、定着処理液、レジストなどの液体の総称として用いる。
【００３２】
第１給送部１は、給送ローラ１０を用いて記録媒体の束から１枚ずつ記録媒体を分離して第２給送部２に供給する。第２給送部２は、第１給送部１の搬送方向下流側に設けられ、給送ローラ１０から給送された記録媒体を搬送ローラ１１、排紙ローラ１２等を用いて搬送する。また、記録媒体を保持するプラテン１３は、搬送ローラ１１と排紙ローラ１２の間に備えられている。第２給送部により搬送された記録媒体は、プラテン１３により鉛直下方から支持される。
【００３３】
記録部３は、図9において記録媒体の搬送方向と直交する方向に往復移動するキャリッジ１４と、キャリッジ１４に搭載された液体吐出部としての記録ヘッド（液体吐出ヘッド）１５とを備える。記録ヘッド１５は、インクを吐出する複数の吐出口を配列したインク吐出部を有する。インク吐出部を構成する複数の吐出口内には、それぞれ吐出エネルギ発生素子が設けられ、この吐出エネルギ発生素子を記録データに基づいて駆動することにより、インクを吐出口から吐出して、プラテン１３に支持された記録媒体に画像を記録する。
【００３４】
液体供給部４は、液体貯留タンクとしてのインクタンク１６と、インクタンク１６から記録ヘッド１５へインクを導くインク流路１０１と、インク流路１０１と記録ヘッド１５とを連結する可撓性のインク供給チューブ１０７等で構成される。記録ヘッド１５の吐出口からインクが吐出されて記録動作が行われると、記録ヘッド１５内の負圧が増大する。
【００３５】
この負圧の増大によって、インクタンク１６のインク収容室１００内に収容されたインクがインク流路１０１およびインク供給チューブ１０７を介して記録ヘッド１５へ供給される。このとき、インクタンク１６には、記録ヘッド１５へ供給されたインクと同量の空気がインクタンク１６の鉛直上方に設けられた大気連通口１０２より流入する。
【００３６】
記録装置１０００は、異なる色の複数種のインクを吐出して記録媒体にカラー画像を記録するカラープリンタとなっている。このため、記録ヘッド１５には、複数種のインクそれぞれに応じた複数のインク吐出部が設けられている。本例では、イエロー、シアン、マゼンタ、ブラックの４色のインクを吐出する４つのインク吐出部が設けられており、各インク吐出部には、４種類のインクそれぞれを収納する４種類のインクタンク１６が設けられている。なお、シアンのインクを収容するインクタンクを１６Ｃ、マゼンタのインクを収容するインクタンクを１６Ｍ、イエローのインクを収容するインクタンクを１６Ｙｅ、ブラックのインクを収容するインクタンクを１６Ｂｋと記載する。インクタンク１６Ｃ、１６Ｍ、１６Ｙｅ、１６Ｂｋの中で、インク残量が所定量以下となった場合には、その旨が記録装置の表示部１００１に表示され、ユーザに対して残量不足が生じているインクタンク１６へのインクの補給を促す。
【００３７】
インクタンク１６へのインクの補給は、ユーザが、インクが収容された液体補給容器としてのインク補給容器２０を用いて行う。このため、インク補給容器２０は、使用するインクの色数（本例では４色）に応じた数だけ用意される。そして、補給作業においては、インクタンク１６とインク補給容器２０に表示される色情報を元に、ユーザの判断でインク補給容器２０を選択し、インクタンク１６にインクを補給することとなる。その際、図１０に示すように、記録装置１０００の前面に設けられているタンクカバー１００２を前方へと開き、インクタンク１６に設けられているキャップ２６を取り外して、インク補給容器２０をインクタンク１６に挿入および装着して補給を行う。
【００３８】
本発明によれば、液体貯留タンク注入口部へ液体補給容器出口部が確実にセットされた場合に液体の補給が可能となり、外部へ液体が漏出することを抑制することができる。さらに、液体補給時に、液体貯留タンク注入口部の壁（第1の筒状部）が液体補給容器の支えになることによって、液体補給容器の挿入状態の姿勢を安定化させる効果もある。
【符号の説明】
【００３９】
１５  液体吐出部（記録ヘッド）
１６  液体貯留タンク（インクタンク）
２０  液体補給容器
１１１  第１の嵌合形状
１１２  第１の筒状部
１１３  液体注入口
１１４  液体導入管（管状部材）
１１５  支持部材
１１６  ピン（棒状部材）
２０１  液体補給容器本体
２０２  第２の筒状部
２０３  シール部材
２０４  バネ部材
２０５  弁部材
２０６  第２の嵌合形状
２０７  液体出口
２０８  支持部材
２０９  弁機構
２１０  出口形成部
２２０  キャップ
２３０  嵌合溝
１０００  インクジェット記録装置
【図１】
2020168823.tif 000003
【図２】
2020168823.tif 000004
【図３】
2020168823.tif 000005
【図４】
2020168823.tif 000006
【図５】
2020168823.tif 000007
【図６】
2020168823.tif 000008
【図７】
2020168823.tif 000009
【図８】
2020168823.tif 000010
【図９】
2020168823.tif 000011
【図１０】
2020168823.tif 000012